【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】情報表示装置および情報検索装置並びにキーワード選択装置
【手続補正２】
【補正対象書類名】明細書
【補正対象項目名】特許請求の範囲
【補正方法】変更
【補正の内容】
【特許請求の範囲】
【請求項１】
複数のキーワードの組を記憶しているキーワード組記憶部と、前記キーワード組記憶部から対象となるキーワードの組を抽出し記憶する対象キーワード組記憶手段と、前記対象キーワード組記憶手段で記憶されているキーワードの組から共通するキーワードを代表キーワードとして抽出する代表キーワード抽出手段と、前記代表キーワード抽出手段で抽出された代表キーワードを含むキーワードの組を対象キーワード組として抽出する対象キーワード組抽出手段と、前記代表キーワード抽出手段で抽出された代表キーワードを記憶する代表キーワード記憶部と、前記代表キーワード記憶部で記憶されている代表キーワードを表示する表示部を備えていることを特徴とする情報表示装置。
【請求項２】
請求項１の代表キーワード抽出手段が、前記対象キーワード記憶手段で記憶されているキーワードの組から部分的に共通するキーワードの一部を抽出する代表キーワード部分抽出手段に代わり、対象キーワード組抽出手段が、前記代表キーワード部分抽出手段で抽出されたキーワードの一部を含むキーワードの組を対象キーワード組として抽出する対象キーワード組抽出手段に代わることを特徴とする請求項１記載の情報表示装置。
【請求項３】
複数のキーワードの組を記憶しているキーワード組記憶部と、前記キーワード組記憶部から対象となるキーワードの組を抽出し記憶する対象キーワード組記憶手段と、複数のキーワードを１つの概念でまとめた概念キーワードを記憶している概念キーワード記憶部と、前記対象キーワード組記憶手段で記憶されているキーワードの組を含む概念キーワードを決定する代表キーワード決定手段と、前記代表キーワード決定手段で決定した概念キーワードに含まれるキーワードの組を対象キーワード組として抽出する対象キーワード組抽出手段と、前記代表キーワード決定手段で決定された概念キーワードを記憶する代表キーワード記憶部と、前記代表キーワード記憶部で記憶されている概念キーワードを表示する表示部を備えていることを特徴とする情報表示装置。
【請求項４】
複数のキーワードの組とそれぞれのキーワードの重要度を記憶しているキーワード組記憶部と、前記キーワード組記憶部から対象となるキーワードの組を抽出し記憶する対象キーワード組記憶手段と、前記対象キーワード組記憶手段で記憶されているキーワードの組から共通するキーワードの重要度を計算する重要度算出手段と、前記重要度算出手段で計算された重要度に応じて代表キーワードを決定する代表キーワード抽出手段と、前記代表キーワード抽出手段で抽出された代表キーワードを含むキーワードの組を対象キーワード組として抽出する対象キーワード組抽出手段と、前記代表キーワード抽出手段で抽出された代表キーワードを記憶する代表キーワード記憶部と、前記代表キーワード記憶部で記憶されている代表キーワードを表示する表示部を備えていることを特徴とする情報表示装置。
【請求項５】
文字放送を受信する文字放送受信部と、前記文字放送受信部で受信した文字放送をテキスト情報へ変換するテキスト情報変換手段と、前記テキスト情報変換手段で変換されたテキスト情報から複数のキーワードの組を切り出しキーワード組記憶部に記憶させるキーワード切り出し手段を備えることを特徴とする、請求項１、２または３記載の情報表示装置。
【請求項６】
電話回線などによりインターネットに接続するインターネット接続部と、前記インターネット接続部で接続されたインターネット情報のテキスト部分を取り出すテキスト情報抽出手段と、前記テキスト情報抽出手段で抽出されたテキスト情報から複数のキーワードの組を切り出しキーワード組記憶部に記憶させるキーワード切り出し手段を備えることを特徴とする、請求項１、２または３記載の情報表示装置。
【請求項７】
テキスト情報を記憶するテキスト情報記憶部と、前記テキスト情報記憶部で記憶されているテキスト情報から複数のキーワードの組を切り出しキーワード組記憶部に記憶させるキーワード切り出し手段を備えることを特徴とする、請求項１、２または３記載の情報表示装置。
【請求項８】
文字放送を受信する文字放送受信部と、前記受信部で受信した文字放送をテキスト情報へ変換するテキスト情報変換手段と、前記テキスト情報変換手段で変換されたテキスト情報から複数のキーワードの組を切り出し記憶させるキーワード組記憶部と、前記キーワード組記憶部から対象となるキーワードの組を抽出し記憶する対象キーワード組記憶手段と、前記対象キーワード組記憶手段で記憶されているキーワードの組から共通するキーワードを代表キーワードとして抽出する代表キーワード抽出手段と、前記代表キーワード抽出手段で抽出された代表キーワードを含むキーワードの組を対象キーワード組として抽出する対象キーワード組抽出手段と、前記代表キーワード抽出手段で抽出された代表キーワードを記憶する代表キーワード記憶部と、前記代表キーワード記憶部で記憶されている代表キーワードを表示する代表キーワード表示部と、前記代表キーワード表示部で表示されるキーワードを指定するキーワード指定手段と、前記キーワード指定手段で指定されたキーワードを含む文字放送を表示する文字放送表示部を備えていることを特徴とする情報表示装置。
【請求項９】
文字放送を受信する文字放送受信部と、前記受信部で受信した文字放送をテキスト情報へ変換するテキスト情報変換手段と、前記テキスト情報変換手段で変換されたテキスト情報から複数のキーワードの組を切り出し記憶させるキーワード組記憶部と、前記キーワード組記憶部から対象となるキーワードの組を抽出し記憶する対象キーワード組記憶手段と、前記対象キーワード組記憶手段で記憶されているキーワードの組から共通するキーワードを代表キーワードとして抽出する代表キーワード抽出手段と、前記代表キーワード抽出手段で抽出された代表キーワードを含むキーワードの組を対象キーワード組として抽出する対象キーワード組抽出手段と、前記代表キーワード抽出手段で抽出された代表キーワードを記憶する代表キーワード記憶部と、前記代表キーワード記憶部で記憶されている代表キーワードを表示する代表キーワード表示部と、検索キーワードを入力する検索キーワード入力部と、前記検索キーワード入力部で入力された検索キーワードを含む代表キーワードを検索するキーワード検索手段と、前記キーワード検索手段で検索されたキーワードを含む文字放送を表示する文字放送表示部を備えていることを特徴とする情報検索装置。
【請求項１０】
複数のキーワードの組を記憶しているキーワード組記憶部から対象となるキーワードの組を抽出する抽出ステップと、前記抽出したキーワードの組から共通するキーワードを代表キーワードとして抽出する代表キーワード抽出ステップと、前記代表キーワード抽出ステップで抽出された代表キーワードを含むキーワードの組を対象キーワード組として抽出する対象キーワード組抽出ステップと、前記代表キーワード抽出ステップで抽出された代表キーワードを表示する表示ステップとをコンピュータにより実行する情報表示方法。
【請求項１１】
複数のキーワードの組を記憶しているキーワード組記憶部から対象となるキーワードの組を抽出する抽出ステップと、複数のキーワードを１つの概念でまとめた概念キーワードを記憶している概念キーワード記憶部から前記抽出ステップで抽出したキーワードの組を含む概念キーワードを決定する代表キーワード決定ステップと、前記代表キーワード決定ステップで決定した概念キーワードに含まれるキーワードの組を対象キーワード組として抽出する対象キーワード組抽出ステップと、前記代表キーワード決定ステップで決定された概念キーワードを表示する表示ステップとをコンピュータにより実行する情報表示方法。
【請求項１２】
複数のキーワードの組とそれぞれのキーワードの重要度を記憶しているキーワード組記憶部から対象となるキーワードの組を抽出する抽出ステップと、前記抽出したキーワードの組から共通するキーワードの重要度を計算する重要度算出ステップと、前記重要度算出ステップで計算された重要度に応じて代表キーワードを決定する代表キーワード抽出ステップと、前記代表キーワード抽出ステップで抽出された代表キーワードを含むキーワードの組を対象キーワード組として抽出する対象キーワード組抽出ステップと、前記代表キーワード抽出ステップで抽出された代表キーワードを表示する表示ステップとをコンピュータにより実行する情報表示方法。
【請求項１３】
文字放送を受信し、受信した文字放送をテキスト情報へ変換し、前記変換したテキスト情報から複数のキーワードの組を切り出し記憶させるキーワード組記憶ステップと、前記キーワード組記憶ステップから対象となるキーワードの組を抽出し記憶する対象キーワード組記憶ステップと、前記対象キーワード組記憶ステップで記憶されているキーワードの組から共通するキーワードを代表キーワードとして抽出する代表キーワード抽出ステップと、前記代表キーワード抽出ステップで抽出された代表キーワードを含むキーワードの組を対象キーワード組として抽出する対象キーワード組抽出ステップと、前記代表キーワード抽出ステップで抽出された代表キーワードを記憶する代表キーワード記憶ステップと、前記代表キーワード記憶ステップで記憶されている代表キーワードを表示する代表キーワード表示ステップと、前記代表キーワード表示ステップで表示されるキーワードを指定するキーワード指定ステップと、前記キーワード指定ステップで指定されたキーワードを含む文字放送を表示する文字放送表示ステップとを備える情報表示方法。
【請求項１４】
文字放送を受信し、受信した文字放送をテキスト情報へ変換し、前記変換されたテキスト情報から複数のキーワードの組を切り出し記憶させるキーワード組記憶ステップと、前記キーワード組記憶ステップから対象となるキーワードの組を抽出し記憶する対象キーワード組記憶ステップと、前記対象キーワード組記憶ステップで記憶されているキーワードの組から共通するキーワードを代表キーワードとして抽出する代表キーワード抽出ステップと、前記代表キーワード抽出ステップで抽出された代表キーワードを含むキーワードの組を対象キーワード組として抽出する対象キーワード組抽出ステップと、前記代表キーワード抽出ステップで抽出された代表キーワードを記憶する代表キーワード記憶ステップと、前記代表キーワード記憶ステップで記憶されている代表キーワードを表示する代表キーワード表示ステップと、検索キーワードを入力する検索キーワード入力ステップと、前記検索キーワード入力ステップで入力された検索キーワードを含む代表キーワードを検索するキーワード検索ステップと、前記キーワード検索ステップで検索されたキーワードを含む文字放送を表示する文字放送表示ステップとを備えている情報検索方法。
【請求項１５】
複数のキーワードの組を記憶しているキーワード組記憶部と、
前記キーワード組記憶部から各キーワードの出現頻度を算出し、前記出現頻度を用いて代表キーワードを抽出する代表キーワード抽出手段とを備えるキーワード選択装置。
【請求項１６】
複数のキーワードの組を記憶しているキーワード組記憶部と、
前記キーワード組記憶部から各キーワードの出現頻度を算出し、前記出現頻度を用いて第一の代表キーワードを抽出する第一の代表キーワード抽出手段と
前記選択された代表キーワードを含まない組に対して各キーワードの出現頻度を算出し、前記出現頻度を用いて第二の代表キーワードを抽出する第二の代表キーワード抽出手段とを備えるキーワード選択装置。
【請求項１７】
複数のキーワードの組を記憶しているキーワード組記憶部と、
前記キーワード組記憶部から各キーワードの出現頻度を算出し、前記出現頻度を用いて第一の代表キーワードを抽出する第一の代表キーワード抽出手段と
前記選択された代表キーワードを含む組に対して各キーワードの出現頻度を算出し、前記出現頻度を用いて第二の代表キーワードを抽出する第二の代表キーワード抽出手段とを備えるキーワード選択装置。
【請求項１８】
前記第一の代表キーワードの下の階層に、前記第二の代表キーワードを生成する請求項１７記載のキーワード選択装置。
【請求項１９】
代表キーワード抽出手段において、キーワードの一部分が一致している頻度情報を算出し、前記頻度情報を利用してキーワードの出現頻度を計算する請求項１５記載のキーワード選択装置。
【請求項２０】
複数のキーワードをまとめた概念キーワードを定義し記憶する概念キーワード記憶部と前記概念キーワード記憶部で記憶されているキーワードに関して前記キーワード組記憶部で記憶されている出現頻度を算出し、前記出現頻度を用いて代表キーワードを決定する請求項１５記載のキーワード選択装置。
【請求項２１】
前記キーワード組記憶部で記憶されているキーワードは放送またはネットワークのテキストコードから生成されたことを特徴とする請求項１５から２０のいずれかに記載のキーワード選択装置。
【請求項２２】
前記キーワード組記憶部で記憶されているキーワードの組に対して複数のテキストコードが対応している場合に、テキストコードを取得した日時を用いて分類することを特徴とする請求項１５から２０のいずれかに記載のキーワード選択装置。